【手続補正書】
【提出日】平成21年6月10日(2009.6.10)
【手続補正１】
【補正対象書類名】特許請求の範囲
【補正対象項目名】全文
【補正方法】変更
【補正の内容】
【特許請求の範囲】
【請求項１】
底面に凹状に形成された紫外線照射空間と、前記底面に形成された吸入口と、側面に形成された排出口と、前記吸入口と排出口を連結する空気通路と、殺菌しようとする対象物が底面に吸着されることを防止するために、前記底面内に凹状に形成されるとともに、前記吸入口に接続され、側面に延長された吸着防止通路とを含むハウジングと；
前記ハウジングの紫外線照射空間に紫外線を発光するために、ハウジングの内部に設置された第１紫外線発光手段と；
吸入口側の空気を排出口側に排出するために、前記空気通路に設置されたファンと；
前記ファンを駆動するためのモーターと；
空気中の異物を浄化するために、前記吸入口と前記モーター間の空気通路上に設置された第１フィルター部と；
前記モーターと第１紫外線発光手段を制御するための命令信号を出力するための操作部と；
前記操作部の命令信号を受け、前記モーターと第１紫外線発光手段を制御するための制御部と；を含むことを特徴とする、寝具用殺菌装置。
【請求項２】
前記ハウジングの底面には、殺菌対象物体の有無を感知するために設置された少なくとも一つの近接センサーをさらに含み、
前記制御部は、前記近接センサーの出力信号を受け、前記第１紫外線発光手段とモーターを制御することを特徴とする、請求項１に記載の寝具用殺菌装置。
【請求項３】
前記ハウジングの内部から底面側に突設され、殺菌対象物を打つための打撃部をさらに含むことを特徴とする、請求項１に記載の寝具用殺菌装置。
【請求項４】
前記空気通路上のモーターと排出口との間には、前記第１フィルター部とモーターを通過した空気中の異物を濾過し、前記モーターの発生熱の一部が外部に放出されることを遮断し、前記熱によって、濾過された異物中の細菌及び害虫を殺菌及び殺虫するために設置された第２フィルター部をさらに含むことを特徴とする、請求項１に記載の寝具用殺菌装置。
【請求項５】
前記打撃部は、前記ハウジングの内部に設置された磁石と、前記磁石に隣り合って設置された電磁石と、一側はヒンジで支持され、他側に前記電磁石が設置され、前記電磁石の極性が変わることによって上下に搖れる揺動バーと、前記揺動バーに設置され、前記揺動バーが搖れることによって対象物を打つ打撃棒とを含み、
前記打撃棒はハウジングの吸着防止通路に突設され、
前記制御部は、前記操作部の命令信号を受け、前記電磁石に電源を印加して、極性を変えるように制御することを特徴をとする、請求項３に記載の寝具用殺菌装置。
【請求項６】
前記吸着防止通路には、ハウジングの内部側から外部側に垂直方向に突出した複数のラウンド型突起を含み、前記複数の突起は、ハウジングの底面よりも内部側において一定間隔離隔して配置されたことを特徴とする、請求項１〜５のいずれか１項に記載の寝具用殺菌装置。
【請求項７】
前記複数の突起はハウジングの底面から外部側に一定間隔だけさらに突出したことを特徴とする、請求項６に記載の寝具用殺菌装置。
【請求項８】
前記ハウジングの内部の第１フィルターに隣接して設置され、前記フィルターによって濾過された微細害虫を殺虫するための第２紫外線発光手段と；
前記ハウジングの内部の排出口の近傍に設置され、排出口を通じて排出される空気中の微細害虫を加熱して除去するためのヒーターと；をさらに含み、
前記制御部は、前記操作部の命令信号を受け、前記第２紫外線発光手段とヒーターを制御することを特徴とする、請求項６に記載の寝具用殺菌装置。
【請求項９】
紫外線ランプ、紫外線ＬＥＤ及び前記モーターのそれぞれの動作状態を表示するために、前記ハウジングの外面に設置され、複数のＬＥＤを含む表示部をさらに含み、前記制御部は、前記操作部の命令信号を受け、前記複数のＬＥＤの点灯を制御することを特徴とする、請求項８に記載の寝具用殺菌装置。
【請求項１０】
前記吸着防止通路には、吸着防止通路の始端から終端まで吸着防止通路を取り囲むように形成された複数のリブを含むことを特徴とする、請求項１に記載の寝具用殺菌装置。
【請求項１１】
前記ハウジングの内部には、前記モーターが装着されるように、一部が外部に突出し、吸入された空気を排出するための複数の放出孔が形成されたモーター装着部がさらに形成され、前記第２フィルター部は、前記モーター装着部を取り囲むようにハウジングの外面に着脱可能に設置されることを特徴とする、請求項４に記載の寝具用殺菌装置。
【請求項１２】
紫外線を放射する紫外線ランプを備えた紫外線放射部と；
外部の空気を吸入するために形成された吸入口と、側面に形成された排出口と、前記吸入口と排出口を連結する空気通路と、殺菌しようとする対象物が底面に吸着されることを防止するために、底面内に凹状に形成されるとともに、吸入口から側面に延長された吸着防止通路とを含むハウジングと；
前記ハウジングの内部に設置され、吸入口側の空気を前記空気通路を通じて排出口側に排出するためのファンを備えたモーターと；
前記吸入口とモーター間の空気通路上に設置された第１フィルター部と；
前記空気通路上のモーターと排出口との間には、前記第１フィルター部とモーターを通過した空気中の異物を濾過し、前記モーターの発生熱の一部が外部に放出されることを遮断し、前記熱によって、濾過された異物中の細菌及び害虫を殺菌及び殺虫するための第２フィルター部と；を含むことを特徴とする、寝具用殺菌装置。
【請求項１３】
前記ハウジングの内部から底面側に突設され、殺菌対象物を打つための打撃部をさらに含むことを特徴とする、請求項１２に記載の寝具用殺菌装置。
【請求項１４】
前記紫外線放射部は、前記ハウジングの吸入側上面に脱着可能に設置され、前記紫外線放射部は、前記紫外線ランプに電源を供給するためのバッテリーと、前記紫外線ランプへ前記バッテリーの電源供給を遮断するためのスイッチとをさらに含むことを特徴とする、請求項１２に記載の寝具用殺菌装置。
【請求項１５】
前記吸着防止通路には、吸着防止通路からハウジングの上面まで延設され、吸着防止通路側への空気流入通路を確保するための複数のリブをさらに含むことを特徴とする、請求項１２に記載の寝具用殺菌装置。
【請求項１６】
一側は吸着防止通路に接し、他側はハウジングの外面から一定間隔離隔してハウジングの上面まで取り囲むように設置される吸着防止キャップをさらに含むことを特徴とする、請求項１２に記載の寝具用殺菌装置。
【請求項１７】
前記ハウジングの内部には、前記モーターが装着されるように一部が外部に突出し、吸入された空気を排出するための複数の放出孔が形成されたモーター装着部がさらに形成され、前記第２フィルター部は、前記モーター装着部を取り囲むようにハウジングの外面に着脱可能に設置されることを特徴とする、請求項１２に記載の寝具用殺菌装置。
【請求項１８】
前記紫外線放射部は、前記紫外線ランプがハウジングの底面に紫外線を放射するように、ハウジングの内部に設置され、前記ハウジングの上面には、ハウジング内部に設置された紫外線ランプの動作状態を識別可能にする表示窓がさらに設置されていることを特徴とする、請求項１２に記載の寝具用殺菌装置。
【請求項１９】
前記打撃部は、前記ハウジングの内部に設置された磁石と、前記磁石に隣り合って設置された電磁石と、一側はヒンジで支持され、他側に前記電磁石が設置され、前記電磁石の極性が変わることによって上下に搖れる揺動バーと、前記揺動バーに設置され、前記揺動バーが搖れることによって対象物を打つ打撃棒とを含み、前記打撃棒はハウジングの吸着防止通路に突設されることを特徴とする、請求項１２に記載の寝具用殺菌装置。
【請求項２０】
前記第２フィルター部は、
前記ハウジングのモーター装着部を取り囲むようにハウジングと結合するための結合手段、及び内部の空気が排出される複数の排出孔が備えられたたケースと；
前記ケースの内部に、空気中の異物を濾過するために、設置されたフィルターと；を含み、
前記第２フィルター部は、前記第１フィルター部より空気透過率が低く、
前記モーターには、モーターの発熱を感知し、一定値以上であればモーターの動作を遮断する過熱防止ユニットがさらに設置されていることを特徴とする、請求項１７に記載の寝具用殺菌装置。
【請求項２１】
前記ハウジングの前記第２フィルター部の排出孔に隣接した部位には、前記第２フィルター部の排出孔から放出された空気が一定方向に排出されるようにガイドするガイドバーがさらに設置されていることを特徴とする、請求項１７〜２０のいずれか１項に記載の寝具用殺菌装置。
【請求項２２】
紫外線を放射する紫外線ランプが備えられたた紫外線放射部と；
外部の空気を吸入するために形成された吸入口と、側面に形成された排出口と、前記吸入口と排出口を連結する空気通路と、殺菌しようとする対象物が底面に吸着されることを防止するために、底面の一部、及び前記側面に延長される吸着防止通路とを備えたハウジングと；
前記ハウジングの内部に設置され、吸入口側の空気を前記空気通路を通じて排出口側に排出するためのファンが備えられたモーターと；
前記ハウジングの内部から底面側に突設され、殺菌対象物を打つための打撃部と；を含み、
前記打撃部は、空気吸入方向に前記吸入口の前端に設置され、前記紫外線放射部は、ハウジングの内部の打撃部の前端に設置され、底面から一定間隔離隔して設置されることを特徴とする、寝具用殺菌装置。
【請求項２３】
前記打撃部と吸入口との間には、掃除対象物の表面の異物を掃き出すためのブラシ部がさらに設置されていることを特徴とする、請求項２２に記載の寝具用殺菌装置。
【請求項２４】
前記ブラシ部は、
前記ハウジングの底面から一定部分突設されたブラシと；
前記ブラシに隣接したハウジングの内部に設置され、前記ブラシを回転させるためのモーターと；を含むことを特徴とする、請求項２３に記載の寝具用殺菌装置。
【手続補正２】
【補正対象書類名】明細書
【補正対象項目名】００１３
【補正方法】変更
【補正の内容】
【００１３】
前記のような目的を達成するための本発明の一面によれば、底面に凹状に形成された紫外線照射空間と、前記底面に形成された吸入口と、側面に形成された排出口と、前記吸入口と排出口を連結する空気通路と、殺菌しようとする対象物が底面に吸着されることを防止するために、前記底面内に凹状に形成されるとともに、前記吸入口に接続され、側面に延長された吸着防止通路とを含むハウジングと；前記ハウジングの紫外線照射空間に紫外線を発光するために、ハウジングの内部に設置された第１紫外線発光手段と；吸入口側の空気を排出口側に排出するために、前記空気通路に設置されたファンと；前記ファンを駆動するためのモーターと；空気中の異物を浄化するために、前記吸入口と前記モーター間の空気通路上に設置された第１フィルター部と；前記モーターと第１紫外線発光手段を制御するための命令信号を出力するための操作部と；前記操作部の命令信号を受け、前記モーターと第１紫外線発光手段を制御するための制御部と；を含む、寝具用殺菌装置が提供される。